(57)【要約】【課題】奥行きが短い場合でも、従来の取付部やブラケット等を使用可能とする取付部材および本体部材を提供する。【解決手段】取付部材１が、カーオーディオ装置１０を取付用ブラケット２０のねじ穴２２に固定する機器固定部２と、機器固定部２を、カーオーディオ装置１０の左側面１２側の取付用ブラケット２０に固定する際に、カーオーディオ装置１０と固定される第１部材固定部４と、機器固定部２を、右側面１３側の取付用ブラケット２０に固定する際に、カーオーディオ装置１０と固定される第２部材固定部５と、を備えている。そして、第１部材固定部４および第２部材固定部５のいずれか一方を使用してカーオーディオ装置１０のケース１１に固定される。【選択図】図１
2015039922.tif 000002
【特許請求の範囲】
【請求項１】
本体部材を被取付部の第１固定部に固定する第１機器固定部と、
前記第１機器固定部を、前記本体部材の一つの面側の前記被取付部の前記第１固定部に固定する際に、前記本体部材と固定される第１部材固定部と、
前記第１機器固定部を、前記本体部材の前記一つの面と対向する他の面側の前記被取付部の前記第１固定部に固定する際に、前記本体部材と固定される第２部材固定部と、を備え、
前記第１部材固定部および前記第２部材固定部のいずれか一方を使用して前記本体部材に固定される、
ことを特徴とする取付部材。
【請求項２】
前記第１機器固定部から前記第１部材固定部までの距離と、前記第１機器固定部から前記第２部材固定部までの距離が異なることを特徴とする請求項１に記載の取付部材。
【請求項３】
前記第１機器固定部と、前記第１部材固定部と、前記第２部材固定部と、がそれぞれ直交するように設けられていることを特徴とする請求項１または２に記載の取付部材。
【請求項４】
前記第２部材固定部が、前記第１部材固定部から立設していることを特徴とする請求項２または３に記載の取付部材。
【請求項５】
前記第１部材固定部または前記第２部材固定部で前記本体部材に固定する際に、前記第１機器固定部にかかる負荷を分散させる負荷分散部が設けられていることを特徴とする請求項１乃至４のうちいずれか一項に記載の取付部材。
【請求項６】
請求項１乃至５のうちいずれか一項に記載の取付部材が固定され、
前記一つの面と前記他の面のそれぞれに設けられている第２機器固定部を前記被取付部の第２固定部に固定した際に、前記一つの面および前記他の面の長さが前記第２固定部から前記第１固定部まで到達しない長さとなっているとともに、前記第２機器固定部から前記第１機器固定部までの長さが、前記取付部材を前記第１部材固定部で固定された場合と前記第２部材固定部で固定された場合とで等しくなっている、
ことを特徴とする本体部材。
【請求項７】
前記一つの面の第２機器固定部から前記第１部材固定部まで長さと、前記他の面の前記第２機器固定部から前記第２部材固定部までの長さが異なることを特徴とする請求項６に記載の本体部材。
【請求項８】
一つの面と対向する他の面のそれぞれに第２機器固定部が設けられた本体部材であって、
前記本体部材を被取付部の第１固定部に固定する第１機器固定部と、
前記第１機器固定部を、前記本体部材の一つの面側の前記被取付部の前記第１固定部に固定する際に、前記本体部材と固定される第１部材固定部と、
前記第１機器固定部を、前記本体部材の前記一つの面と前記他の面側の前記被取付部の前記第１固定部に固定する際に、前記本体部材と固定される第２部材固定部と、を備え更に前記第１部材固定部および前記第２部材固定部のいずれか一方を使用して前記本体部材に固定される、取付部材を有し、
前記第２機器固定部を前記被取付部の第２固定部に固定した際に、前記一つの面および前記他の面の長さが前記第２固定部から前記第１固定部まで到達しない長さとなっているとともに、前記第２機器固定部から前記第１機器固定部までの長さが、前記取付部材を前記第１部材固定部で固定された場合と前記第２部材固定部で固定された場合とで等しくなっている、
ことを特徴とする本体部材。
【発明の詳細な説明】
【技術分野】
【０００１】
本発明は、被取付部に本体部材を固定して取り付けるための取付部材および本体部材に関する。
【背景技術】
【０００２】
例えば車両には、車室内等にオーディオ再生装置やナビゲーション装置などの電子機器が取り付けられている。
【０００３】
この種の電子機器は、ケースなどの本体部材を車両側に設けられた取付部や、当該取付部に固定するためのブラケット等の被取付部と電子機器の本体部材がネジ止めなどによって固定されることで、取り付けられる（例えば、特許文献１を参照）。
【先行技術文献】
【特許文献】
【０００４】
【特許文献１】特開２００８−１９５３６５号公報
【発明の概要】
【発明が解決しようとする課題】
【０００５】
近年、半導体メモリの高集積化やハードディスクの高密度化に伴い、小型かつ大容量な記録媒体が提案されている。そのため、ＣＤ（Compact Disc）やＤＶＤ（Digital Versatile Disc）などに記録されていた音楽や映像等を半導体メモリを用いた記録媒体や小型のハードディスクドライブ等に記録し、ＣＤやＤＶＤ等を再生するためのディスクドライブ装置を省略した電子機器が提案されている。
【０００６】
ディスクドライブ装置を省略した電子機器では、本体部材の奥行き（使用者と相対する面から奥に向かう方向の長さ）を短くすることができ、部品点数や使用する部材の量を削減して機器の小型軽量化を図ることができるので、環境に配慮した製品となるといったメリットがあるが、以下のような問題があった。
【０００７】
奥行きが短いため車両側に設けられた取付部や当該取付部に固定するためのブラケット等と固定するのが前方のみの片側当たり１か所となってしまう。例えば、本体部材の側面で固定する場合は、左側面前方と右側面前方の２か所で固定することとなるが、この場合、固定位置を中心として本体部材が回転してしまう場合があり、左右で同じ取付角度に位置決めすることが容易でなく、また、取付後も不安定となってしまうことがあった。
【０００８】
そこで、前方と後方の片側当たり２点で固定しようとすると、奥行きが短くなったことにより、従来使用していた取付部やブラケットの後方側の固定部まで奥行きが到達しないため使用できず新たにブラケット等を作らなければならなくなりコストアップとなってしまうという問題があった。
【０００９】
そこで、本発明は、例えば、奥行きが短い場合でも、従来の取付部やブラケット等を使用可能とする取付部材および本体部材を提供することを課題とする。
【課題を解決するための手段】
【００１０】
上記課題を解決するために、請求項１に記載された発明は、本体部材を被取付部の第１固定部に固定する第１機器固定部と、前記第１機器固定部を、前記本体部材の一つの面側の前記被取付部の前記第１固定部に固定する際に、前記本体部材と固定される第１部材固定部と、前記第１機器固定部を、前記本体部材の前記一つの面と対向する他の面側の前記被取付部の前記第１固定部に固定する際に、前記本体部材と固定される第２部材固定部と、を備え、前記第１部材固定部および前記第２部材固定部のいずれか一方を使用して前記本体部材に固定される、ことを特徴としている。
【００１１】
請求項８に記載された発明は、一つの面と対向する他の面のそれぞれに第２機器固定部が設けられた本体部材であって、前記本体部材を被取付部の第１固定部に固定する第１機器固定部と、前記第１機器固定部を、前記本体部材の一つの面側の前記被取付部の前記第１固定部に固定する際に、前記本体部材と固定される第１部材固定部と、前記第１機器固定部を、前記本体部材の前記一つの面と前記他の面側の前記被取付部の前記第１固定部に固定する際に、前記本体部材と固定される第２部材固定部と、を備え、前記第１部材固定部および前記第２部材固定部のいずれか一方を使用して前記本体部材に固定される、取付部材を有し、前記第２機器固定部を前記被取付部の第２固定部に固定した際に、前記一つの面および前記他の面の長さが前記第２固定部から前記第１固定部まで到達しない長さとなっているとともに、前記第２機器固定部から前記第１機器固定部までの長さが、前記取付部材を前記第１部材固定部で固定された場合と前記第２部材固定部で固定された場合とで等しくなっている、ことを特徴としている。
【図面の簡単な説明】
【００１２】
【図１】本発明の一実施例にかかる取付部材の斜視図である。
【図２】図１に示された取付部材の平面図、上面図、下面図及び側面図である。
【図３】図１に示された取付部材が取り付けられるカーオーディオ装置の上面図、背面図及び側面図である。
【図４】被取付部の一例としての取付用ブラケットの斜視図である。
【図５】図１に示された取付部材１が図３に示されたカーオーディオ装置に取り付けられた状態を示した上面図である。
【図６】図１に示された取付部材１が図３に示されたカーオーディオ装置の左側に取り付けられた状態を示した背面図及び左側面図である。
【図７】図１に示された取付部材１が図３に示されたカーオーディオ装置の右側に取り付けられた状態を示した背面図及び右側面図である。
【発明を実施するための形態】
【００１３】
以下、本発明の一実施形態にかかる取付部材を説明する。本発明の一実施形態にかかる取付部材は、本体部材を被取付部の第１固定部に固定する第１機器固定部と、第１機器固定部を、本体部材の一つの面側の被取付部の第１固定部に固定する際に、本体部材と固定される第１部材固定部と、第１機器固定部を、本体部材の一つの面と対向する他の面側の被取付部の第１固定部に固定する際に、本体部材と固定される第２部材固定部と、を備えている。そして、第１部材固定部および第２部材固定部のいずれか一方を使用して本体部材に固定される。このようにすることにより、例えば取付部材を本体部材の後端に固定して取り付ければ、取付部材の第１機器固定部までの距離を延長することができ、従来の取付部やブラケット等を使用可能とすることができる。また、第１部材固定部および第２部材固定部のいずれか一方を使用することで、一つの面と他の面の少なくともいずれかの面は２点で固定されることとなり、当該面は取付角度が固定できるので。取付時の位置決めをしやすくすることができる。
【００１４】
また、第１機器固定部から第１部材固定部までの距離と、第１機器固定部から第２部材固定部までの距離が異なってもいてもよい。このようにすることにより、第１部材固定部を使用した場合と第２部材固定部を使用した場合とで、第１機器固定部の位置を変更することができる。したがって、一つの面と他の面の長さ（例えば奥行き方向の長さ）が異なる場合でも、第１機器固定部の位置を、一つの面と他の面の長さ方向で同じ位置に位置付けることができる。
【００１５】
また、第１機器固定部と、第１部材固定部と、第２部材固定部と、がそれぞれ直交するように設けられていてもよい。このようにすることにより、例えば、第１機器固定部から見て、９０度回転させることで、一つの面側に固定する形態と他の面側に固定する形態とを変化させることができる。
【００１６】
また、第２部材固定部が、第１部材固定部から立設していてもよい。このようにすることにより、１つの板金等を折り曲げ加工することで第１部材固定部と第２部材固定部を形成することができる。
【００１７】
また、第１部材固定部または第２部材固定部で本体部材に固定する際に、第１機器固定部にかかる負荷を分散させる負荷分散部が設けられていてもよい。このようにすることにより、第１機器固定部とブラケット等の被取付部を固定する際に、第１機器固定部の変形や破損等を防止することができる。
【００１８】
また、本発明の一実施形態にかかる本体部材は、上述した取付部材が取り付けられ、一つの面と他の面のそれぞれに設けられている第２機器固定部を被取付部の第２固定部に固定した際に、一つの面および他の面の長さが第２固定部から第１固定部まで到達しない長さとなっているとともに、第２機器固定部から第１機器固定部までの長さが、取付部材を第１部材固定部で固定された場合と第２部材固定部で固定された場合とで等しくなっている。このようにすることにより、取付部材により一つの面および他の面の長さ（例えば奥行き方向の長さ）を延長することができ、従来の取付部やブラケット等を使用可能とすることができる。
【００１９】
また、一つの面の第２機器固定部から第１部材固定部まで長さと、他の面の第２機器固定部から第２部材固定部までの長さが異なっていいてもよい。この場合でも、取付部材の第一部材固定部を使用した場合と第２部材固定部を使用した場合とで、第１機器固定部の位置を一つの面側と他の面側とで合わせることができる。したがって、従来の取付部やブラケット等を使用可能とする長さに調整することができる。
【００２０】
また、本発明の一実施形態にかかる本体部材は、本体部材を被取付部の第１固定部に固定する第１機器固定部と、第１機器固定部を、本体部材の一つの面側の被取付部に固定する際に、本体部材と固定される第１部材固定部と、第１機器固定部を、本体部材の一つの面と他の面側の被取付部に固定する際に、本体部材と固定される第２部材固定部と、を備え、第１部材固定部および第２部材固定部のいずれか一方を使用して本体部材に固定される、取付部材を有している。そして、第２機器固定部を被取付部の第２固定部に固定した際に、一つの面および他の面の長さが第２固定部から第１固定部まで到達しない長さとなっているとともに、第２機器固定部から第１機器固定部までの長さが、取付部材を第１部材固定部で固定された場合と第２部材固定部で固定された場合とで等しくなっている。このようにすることにより、取付部材により一つの面および他の面の長さ（奥行き方向の長さ）を延長することができ、従来の取付部やブラケット等を使用可能とすることができる。
【実施例】
【００２１】
本発明の一実施例にかかる取付部材１を図１および図２を参照して説明する。なお、図２のｘ、ｙ、ｚの各方向はそれぞれ直交する方向を示している。取付部材１は、例えば、後述するケースを備えた電子機器等を車両等の所定の位置に取り付ける際に用いられる。取付部材１は、板金に打ち抜き加工や折り曲げ加工を施すことで得られる。取付部材１は、機器固定部２と、第１部材固定部４と、第２部材固定部５と、負荷分散部６と、を一体に備えている。
【００２２】
第１機器固定部としての機器固定部２は、平面視で１つの角が丸められている略長方形状に形成され、その略中央部には略円錐状に窪んだ窪み部３と、窪み部３を構成する円錐の頂点部に孔３ａが形成されている。
【００２３】
第１部材固定部４は、平面形状は矩形状に形成されている。第１部材固定部４は、機器固定部２の長辺側の端部から窪み部３が窪んでいる方向と平行な方向（図２のｚ方向）に折り曲げられて形成されている。また、第１部材固定部４は、孔４ａが形成されている。
【００２４】
第２部材固定部５は、平面形状は矩形状に形成されている。第２部材固定部５は、第１部材固定部４の機器固定部２と連なる辺と直交する辺の端部から機器固定部２の短辺と平行な方向（図２のｘ方向）に折り曲げられて形成されている。つまり、第１部材固定部４から立設している。また、第２部材固定部５は、孔５ａが形成されている。即ち、機器固定部２と、第１部材固定部４と、第２部材固定部５と、それぞれ直交するように設けられている。
【００２５】
このように、機器固定部２を略長方形状とし、第１部材固定部４を機器固定部２の長辺と平行に形成し、第２部材固定部５を機器固定部２の短辺と平行に形成されているので、機器固定部２の孔３ａから第１部材固定部４の孔４ａまでの距離と、機器固定部２の孔３ａから第２部材固定部５の孔５ａまでの距離が異なっている。
【００２６】
負荷分散部６は、機器固定部２から連なる接続部６ａと、接続部６ａの端部から折り曲げられた平板部６ｂと、を備えている。
【００２７】
接続部６ａは、機器固定部２の短辺側の端部から突出するように形成されている。平板部６ｂは、平面形状は略台形状に形成されている。平板部６ｂは、接続部６ａの機器固定部２と連なっている側と反対側の端部から窪み部３が窪んでいる方向と平行な方向（図２のｚ方向）に折り曲げられて形成されている。また、平板部６ｂは、第２部材固定部５と平行な方向（図２のｘ方向）に向かって突出している凸部６ｃが形成されている。
【００２８】
次に、上述した構成の取付部材１の取付状態を図３乃至図７を参照して説明する。図３は、取付部材１が取り付けられて被取付部に固定される本体部材を備えた機器の例として車両に取り付けられるカーオーディオ装置１０の上面図（ａ）、背面図（ｂ）、左側面図（ｃ）、右側面図（ｄ）を示している。カーオーディオ装置１０は、車両のインストルメントパネル（以下、インパネという）などに装着される。以下、後述乗員（ユーザ）と相対する前面１４から奥に向かう矢印Ｙを奥行き方向と呼び、乗員から見て前面の左右方向の矢印Ｘを幅方向と呼び、前記奥行き方向Ｙと幅方向Ｘとの双方に対し直交する矢印Ｚを厚み方向と呼ぶ。
【００２９】
また、取付部材１が取り付けられるものとしては、カーオーディオ装置１０に限らないのは言うまでもなく、ナビゲーション装置、テレビ受像機、タブレット端末及びスピーカ等の電子機器、あるいは小物入れや灰皿等の箱状のケースのような本体部材を備えたものであればよい。さらに、取付部材１は、車両等の移動体に取り付けるに限らず、屋内の壁面や機器等を収容するラック等に設置するために用いてもよい。
【００３０】
本実施例では、カーオーディオ装置１０は、ケース１１を備えており、ケース１１が一実施例にかかる本体部材となる。ケース１１は、板金で構成され箱状に形成されているが、前面１４は、合成樹脂等で形成された別部品で構成されていてもよい。そして、カーオーディオ装置１０は、ケース１１が後述する取付用ブラケット２０を介して前述したインパネに取り付けられて、前面１４が外部に露出しかつ乗員に相対する。
【００３１】
ケース１１の左側面１２には、第２機器固定部としての取付部１２ａが複数設けられている。取付部１２ａは、機器固定部２の窪み部３と同様に、略円錐状に窪み、当該円錐の頂点部に孔が形成されている。
【００３２】
ケース１１の右側面１３には、第２機器固定部としての取付部１３ａが複数設けられている。取付部１３ａは、機器固定部２の窪み部３と同様に、略円錐状に窪み、当該円錐の頂点部に孔が形成されている。右側面１３は、取付部材１の負荷分散部６が挿入されるスリット１３ｂが設けられている。本実施例では、左側面１２と右側面１３とが、一つの面と一つの面と対向する他の面に相当する。
【００３３】
また、左側面１２と右側面１３は、左側面１２の方が右側面１３よりも奥行き方向Ｙの長さが短い。つまり、左側面１２側の背面１５１は、右側面１３側の背面１５２よりも前面１４からの距離が短い。即ち、左側面１２の長さと右側面１３の長さが異なる。
【００３４】
ケース１１の背面１５には、左側面１２側の背面１５１と、右側面１３側の背面１５２と、双方の面を接続する段部１５３が形成されている。左側面１２側の背面１５１には、取付部材１を右後方にネジ止めして固定する際に用いるネジ穴１５ａと、取付部材１を右後方にネジ止めして固定する際に第２部材固定部５が挿入されるスリット１５ｃと、が設けられている。右側面１３側の背面１５２には、取付部材１を左後方にネジ止めして固定する際に用いるネジ穴１５ｂが設けられている。
【００３５】
また、ケース１１には、例えば音楽を記憶する半導体メモリや記憶された音楽を再生する再生部やＦＭ／ＡＭラジオチューナ及び電源部等が収容されている。即ち、カーオーディオ装置１０は、ＣＤやＤＶＤ等のディスクドライブ装置を搭載しないので、従来のカーオーディオ装置よりも奥行き方向Ｙの長さが短くなっている。
【００３６】
図４に被取付部としての取付用ブラケット２０の一例の斜視図を示す。取付用ブラケット２０は、板金をＬ字状に折り曲げて形成されている。取付用ブラケット２０は、カーオーディオ装置１０の左側面１２または右側面１３に沿うように固定される長方形状の面２０ａと、面２０ａの長手方向の端部から幅方向Ｘに向かってカーオーディオ装置１０から離れる方向に折り曲げられている矩形状の面２０ｂと、を備えている。
【００３７】
面２０ａには、カーオーディオ装置１０にネジによって固定するためのネジ穴２１、２２が設けられている。ネジ穴２１、２２は、面２０ａの長手方向に沿って（奥行き方向Ｙに沿って）所定の間隔をあけて設けられている。即ち、ネジ穴２１が第２固定部、ネジ穴２２が第１固定部となる。面２０ｂには、取付用ブラケット２０をインパネにネジによって固定するためのネジ穴２３が設けられている。
【００３８】
上述した構成の取付用ブラケット２０を用いてカーオーディオ装置１０を固定する場合、ケース１１の複数の取付部１２ａ、１３ａのうち取り付けられる車両等に応じて任意の１か所を選択してネジ穴２１にネジを通して取付用ブラケット２０が固定される。
【００３９】
しかしながら、取付用ブラケット２０が従来のディスクドライブ装置を備える機器に対応したものの場合、奥行き方向Ｙの長さが短いとネジ穴２２に対応する位置までケース１１の左側面１２や右側面１３の長さが到達しない場合がある。図３に示したカーオーディオ装置１０では、奥行き方向Ｙの長さが短いため、側面には取付部１２ａや１３ａしか設けられていないので、そもそもネジ穴２２に対応する取付部が設けられていない。このような場合に、上述した取付部材１をケース１１の背面１５に取り付けて固定することで、取付部材１１の機器固定部２をネジ穴２２に対応させることができる。即ち、第１機器固定部を、被取付部の第１固定部に固定することができる。
【００４０】
図５乃至図７にカーオーディオ装置１０に取付部材１を取り付けた状態を示す。図５は、上面図、図６は、左側面１２側に取り付けた場合の背面図と左側面図、図７は、右側面１３側に取り付けた場合の背面図と右側面図をそれぞれ示す。なお、図５では、左右両方に取付部材１を取り付けているが、少なくともいずれか一方に取り付けてあればよい。
【００４１】
取付部材１を左側面１２側に取り付けた場合を図５および図６を参照して説明する。取付部材１を左側面１２側に取り付けた場合、機器固定部２が左側面１２の後端（背面１５１側）と連なるように、ネジを第１部材固定部４と背面１５１のネジ穴１５ａに通してネジ止め固定する。この際に、第２部材固定部５は、スリット１５ｃに挿入される。また、負荷分散部６は、平板部６ｂの凸部６ｃが背面１５１に接触する。
【００４２】
負荷分散部６は、平板部６ｂの凸部６ｃが背面１５１に接触することで、取付用ブラケット２０を取付部材１の機器固定部２にネジ止めにより固定する際に、機器固定部２にかかる負荷を分散させる。また、第２部材固定部５がスリット１５ｃに挿入されることで、さらなる負荷の分散をすることができる。即ち、第２部材固定部５も負荷分散部として機能することができる。負荷分散部６が無い場合、機器固定部２にかかる負荷が機器固定部２と第１部材固定部４との接続部分（折り曲げ部分）に集中してしまい、機器固定部２が変形してしまったり、破損してしまう恐れがある。負荷分散部６を設けることで、機器固定部２と第１部材固定部４との接続部分にかかる負荷を分散させて、変形や破損を防止することができる。
【００４３】
取付部材１を右側面１３側に取り付けた場合を図５および図７を参照して説明する。取付部材１を右側面１３側に取り付けた場合、機器固定部２が右側面１３の後端（背面１５２側）と連なるように、ネジを第２部材固定部５と背面１５２のネジ穴１５ｂに通してネジ止め固定する。この際に、負荷分散部６の平板部６ｂは、右側面１３に設けられたスリット１３ｂに挿入される。
【００４４】
右側面１３側に取り付けた場合は、負荷分散部６は、スリット１３ｂに挿入されることで機器固定部２にかかる負荷（機器固定部２と第１部材固定部４との接続部分（折り曲げ部分）や第１部材固定部４と第２部材固定部５との接続部分（折り曲げ部分）にかかる負荷）を分散させることができる。また、機器固定部２の平坦部分の一部が右側面１３にかかる（接触する）ので、さらなる負荷の分散をすることができる。
【００４５】
図６及び図７から明らかなように、取付部材１を右側面１３側に取り付ける場合は、左側面１２側に取り付ける場合から、機器固定部２の正面から見て９０度回転して取り付けられる。
【００４６】
上述したように取付部材１を取り付けることで、左側面１２側に取り付けた場合は、右側面１３側に取り付けた場合よりも、側面の後端から機器固定部２の孔３ａまでの距離を長くすることができる。左側面１２と右側面１３は、図３や図５に示したように、左側面１２の方が右側面１３よりも奥行き方向Ｙの長さが短い。つまり、取付部１２ａから第１部材固定部４までの長さと取付部１３ａから第２部材固定部５までの長さが異なる。そのため、左側面１２側に取り付けた場合は、右側面１３側に取り付けた場合よりも側面の後端から機器固定部２の孔３ａまでの距離を長くすることで、取付部１３ａ（１２ａ）の任意の１つから機器固定部２の孔３ａまでの距離Ｌ（図６および図７参照）を、左側面１２側に取り付けた場合と、右側面１３に取り付けた場合とで同じにすることができる（等しくすることができる）。即ち、左側面１２と右側面１３の長さが異なっていても同じ取付用ブラケット２０を用いることができる。
【００４７】
そして、上述した取付部材１を取り付けた状態のカーオーディオ装置１０の左側面１２と右側面１３に取付用ブラケット２０を取り付ける。つまり、取付部材１の機器固定部２の孔３ａとネジ穴２２にネジを通して固定する（勿論、取付部１２ａ、１３ａとネジ穴２１も固定する）。そして、取付用ブラケット２０のネジ穴２３でインパネに固定する。この際、取付部材１は、少なくとも左右のいずれか一方のみに取り付ければよい。取付部材１が取り付けられた側の取付用ブラケット２０は、ネジ穴２１、２２とも使用して固定されるので、ネジ穴に対してカーオーディオ装置１０が回転することがなく取付角度等を位置決めできる。一方、他方の側面側の取付用ブラケット２０は、取付部材１が取り付けられていないので、ネジ穴２１のみで固定されるが、取付部材１が取り付けられた側の取付用ブラケット２０に取付角度等を合わせることで位置決めが容易となる。勿論、左右ともに取付部材１を取り付けてもよい。
【００４８】
本実施例によれば、取付部材１が、カーオーディオ装置１０のケース１１を取付用ブラケット２０のねじ穴２２に固定する機器固定部２と、機器固定部２を、カーオーディオ装置１０のケース１１の左側面１２側の取付用ブラケット２０のねじ穴２２に固定する際に、カーオーディオ装置１０のケース１１と固定される第１部材固定部４と、機器固定部２を、右側面１３側の取付用ブラケット２０のねじ穴２２に固定する際に、カーオーディオ装置１０のケース１１と固定される第２部材固定部５と、を備えている。そして、第１部材固定部４および第２部材固定部５のいずれか一方を使用してカーオーディオ装置１０のケース１１に固定される。このようにすることにより、取付部材１をカーオーディオ装置１０のケース１１の後端に固定して取り付ければ、取付部材１の機器固定部２までの距離を延長することができ、従来の取付部や取付用ブラケット等を使用可能とすることができる。また、第１部材固定部４および第２部材固定部５のいずれか一方を使用することで、左側面１２と右側面１３の少なくともいずれかの面は２点で固定されることとなり、当該面は取付角度が固定できるので、位置決めをしやすくすることができる。
【００４９】
また、取付部材１は、機器固定部２から第１部材固定部４までの距離と、機器固定部２から第２部材固定部５までの距離が異なる。このようにすることにより、第１部材固定部４を使用した場合と第２部材固定部５を使用した場合とで、機器固定部２の位置を変更することができる。したがって、左側面１２と右側面１３の奥行き方向の長さが異なる場合でも、機器固定部２の位置を、左側面１２と右側面１３で同じ位置に位置付けることができる。
【００５０】
また、取付部材１は、機器固定部２と、第１部材固定部４と、第２部材固定部５と、がそれぞれ直交するように設けられている。このようにすることにより、機器固定部２から見て、９０度回転させることで、左側面１２側に固定する形態と右側面１３側に固定する形態とを変化させることができる。
【００５１】
また、取付部材１は、第２部材固定部５が、第１部材固定部４から立設している。このようにすることにより、１つの板金等を折り曲げ加工することで第１部材固定部４と第２部材固定部５を形成することができる。
【００５２】
また、第１部材固定部４または第２部材固定部５でケース１１に固定する際に、機器固定部２にかかる負荷を分散させる負荷分散部６が設けられている。このようにすることにより、機器固定部２により取付用ブラケット２０と固定する際に、機器固定部２の変形や破損等を防止することができる。
【００５３】
また、ケース１１が、左側面１２と右側面１３の長さが異なり、かつ、左側面１２と右側面１３の長さが取付用ブラケット２０のネジ穴２２の位置まで到達しない長さである場合に、左側面１２側は第１部材固定部４で背面１５１に固定し、左側面１２側は第１部材固定部４で背面１５１に固定する。このようにすることにより、取付部材１の機器固定部２の孔３ａとネジ穴２２にネジを通して固定することができる。また、左側面１２や右側面１３に設けられた取付部１２ａ、１３ａから機器固定部２までの距離を同じにすることができ、同じ取付用ブラケット２０を使用することができる。
【００５４】
なお、上述した実施例においては、ケース１１を両側面で被取付部に取り付ける例で説明したが、上面と底面など互いに対向する面であればよい。
【００５５】
また、ケースは、実施例で説明したカーオーディオ装置１０のように内部に装置やモジュールあるいは電子回路基板等を収容するものであったが、小物入れ等のように、ケースに引き出しなどが出し入れ自在に収容されているものに限らず、ケースの一つの面を開口として、物を出し入れ自在とする等のケース自体が他の機能を有するものや、ケースと他の機能や機構が一体に構成されているものも含む。
【００５６】
また、上述した実施例では、カーオーディオ装置１０はケースによって収納されていたが、装置やモジュールあるいは電子回路基板等がケースに収納されていないような実施の態様においては、当該装置やモジュールあるいは電子回路基板等が本体部材となる。即ち、これら装置やモジュールあるいは電子回路基板等に取付部材が取り付けられる場合も本発明には含まれる。要するに、本体部材は、ケース等の専ら外装部となるような部材に限らず、外部に露出し、被取付部と相対することが可能な部材であればよい。
【００５７】
また、上述した実施例において、取付用ブラケット２０は、Ｌ字状に形成されていたがこれに限らないのは言うまでもなく、奥行き方向Ｙで奥側の端部にも幅方向Ｘに向かってカーオーディオ装置１０から離れる方向に折り曲げられている矩形状の面とネジ穴を設けてもよいし（コ字状）、左側面１２や右側面１３の上端より上側や下端より下側、つまり、厚み方向Ｚに沿うようにネジ穴を設けるようにしてもよい。また、取付用ブラケット２０を使用せずに直接インパネ内部に設けられた固定部等に固定してもよい。
【００５８】
また、本発明は上記実施例に限定されるものではない。即ち、当業者は、従来公知の知見に従い、本発明の骨子を逸脱しない範囲で種々変形して実施することができる。かかる変形によってもなお本発明の取付部材および本体部材の構成を具備する限り、勿論、本発明の範疇に含まれるものである。
【符号の説明】
【００５９】
１        取付部材
２        機器固定部（第１機器固定部）
４        第１部材固定部
５        第２部材固定部
６        負荷分散部
１１      ケース（本体部材）
１２      左側面（一つの面）
１２ａ    取付部（第２機器固定部）
１３      右側面（他の面）
１３ａ    取付部（第２機器固定部）
２０      被取付部
２１      ネジ穴（第２固定部）
２２      ネジ穴（第１固定部）
【図１】
2015039922.tif 000003
【図２】
2015039922.tif 000004
【図３】
2015039922.tif 000005
【図４】
2015039922.tif 000006
【図５】
2015039922.tif 000007
【図６】
2015039922.tif 000008
【図７】
2015039922.tif 000009